(57)【要約】【課題】スイッチの個数を少なくして多種類の信号を発信できるリモートコントロールスイッチを提供する。【解決手段】リモートコントロールスイッチのスイッチ本体１の表面には、図示のとおり操作部１Ｓが形成され、この操作部１Ｓの表面にはスイッチキー（図示せず）のための窓Ｗ１〜Ｗ５が形成されている。この窓Ｗ１〜Ｗ５は操作部１Ｓの表面に孔が穿設されたものではなく、内方が透視できるような透明窓で形成されている。なお、３は緊急時、非常時において先の信号を解除する信号を発する非常用スイッチキーであり、また４は設定キー、５は解除キーを示している。本発明の特徴の一つは操作部１Ｓの上方部が欠如されていてスイッチ本体１全域を覆っていない形であり、切断端６が設けられている。【選択図】          図１
2009302073.tif 000002
【特許請求の範囲】
【請求項１】
スイッチ本体の操作部内方に複数のスイッチが内設され、このスイッチを押して無線信号が発信されるよう構成されたリモートコントロールスイッチにおいて、前記操作部における各スイッチの位置に対応する操作部表面に透明窓が形成されるとともに、操作部位におけるスイッチ本体の内方側で操作面とスイッチとの間にシートを挿入できるシート挿入空間と、前記シート挿入空間に挿入された無線信号の識別マークが付されたシールを貼付したシートにおける識別マークごとの無線信号を出力するよう設定する設定手段を設け、かつ挿入されたシートにおけるシールの識別マークが前記透明窓から視認できることを特徴とするリモートコントロールスイッチ。
【請求項２】
スイッチ本体の操作部内方に複数のスイッチが内設され、このスイッチを押して無線信号が発信されるよう構成されたリモートコントロールスイッチにおいて、前記操作部における各スイッチの位置に対応する操作部表面に透明窓が形成されるとともに、操作部位におけるスイッチ本体の内方側で操作面とスイッチとの間にシートを挿入できるシート挿入空間と、前記シート挿入空間に挿入された無線信号の識別マークが付されたシールを貼付したシートごとに信号の種別等を設定する設定手段を設けたことを特徴とするリモートコントロールスイッチ。
【発明の詳細な説明】
【技術分野】
【０００１】
本発明は遠隔場所にある電気機、電子機器等に無線信号を発信し遠隔制御するためのリモートコントロールスイッチに関する。
【背景技術】
【０００２】
たとえば医療機器分野でＸ線透視撮影装置を操作する場合、リモートコントロールスイッチが常用されている。特にＸ線管を移動させる場合、その重さや危険性から天井吊持式でかつ電動力を利用して自動的に移動できるようになっているが、その移動先が立位形撮影装置の位置に移動させる場合や、ベッド位置に移動させる場合など多数の異なる位置を選択し判別しながらリモートコントロールのスイッチを操作し、Ｘ線管の移動を制御する制御装置に無線信号を送信している。これらのリモートコントロールスイッチには、数個ないし１０数個のスイッチが設置されている。場合によっては数１０個設置されているものもある。
【先行技術文献】
【特許文献】
【０００３】
【特許文献１】特開平１０−１９９３５９号公報
【発明の概要】
【発明が解決しようとする課題】
【０００４】
リモートコントロールスイッチは、片手で操作できるよう通常小形軽量化されている。したがって設置されるスイッチの個数も数個ないし１０数個が通常である。しかし、各種の無線信号を発信したい場合はこのようなスイッチでは対応できず、その場合はスイッチの個数が増加するが、そのために大形化することになる。またスイッチの個数が増えるとスイッチが小形化されやすく操作性を悪くする。したがって多量の信号発信はできにくいのが現状である。またスイッチを間違って押す場合が生じやすい。
【課題を解決するための手段】
【０００５】
スイッチの個数は数個程度までとし、この各スイッチを押す操作部とスイッチの間にシートを介在させるようにし、このシートに各種信号ごとの識別マークが付与されたシールを貼付け、この識別マークを操作部から視認できるようにする。シートは多数準備し、各シートの挿入ごとに電気的には信号の発信を変更するようにする。
【発明の効果】
【０００６】
スイッチ本体が内設される無線信号発信用のスイッチは数個で固定数であるが、シートの挿入によりそのシートに記録されたメモリによって無線信号の発信対象が変更されること、およびシートに複数の識別マークが付されていることから固定数のスイッチとシート枚数の組み合わせにより多数種の無線信号を発信できる。
【図面の簡単な説明】
【０００７】
【図１】本発明によるリモートコントロールスイッチの外観を斜視的に示す図である。
【図２】本発明によるリモートコントロールスイッチの裏面を示す図である。
【図３】本発明によるリモートコントロールスイッチの段面を示す図である。
【図４】本発明の特徴であるシートを示す図である。
【図５】シールが貼付されたシートを示す図である。
【図６】シートを挿入している状態を示す図である。
【発明を実施するための形態】
【０００８】
本発明によるリモートコントロールスイッチの特徴は、それぞれ異なる無線信号を発信するためのスイッチは数個であるが、発信する対象を選定（選別）するシートを挿入できるようにし、このシートに制御対象、作動対象を選定（選別）するマークが付されていて、これを前記スイッチの対応する部位を操作部に配置することにより種々異なる対象に対して多数種の無線信号を発信できる点にあり、このような特徴を生かしたリモートコントロールスイッチが最良の形態である。
【実施例１】
【０００９】
図１から図６に示す実施例は、本発明による一つの実施例を示している。図１は本発明によるリモートコントロールスイッチを斜視的に示す図であり、１はスイッチ本体であり、２はコードを示している。図２はリモートコントロールスイッチの裏側を斜視的に示す図であり、図３はスイッチ本体の断面図である。図４は本発明の特徴であるシートを示す図であり、図５はシールを貼付したシートを示す図である。そして図６はシートをスイッチ本体に挿入している状態を示す図である。
以下本発明のリモートコントロールスイッチについてその構造と作動を説明する。このリモートコントロールスイッチのスイッチ本体１の表面には、図示のとおり操作部１Ｓが形成され、この操作部１Ｓの表面にはスイッチキー（図示せず）のための窓Ｗ１〜Ｗ５が形成されている。この窓Ｗ１〜Ｗ５は操作部１Ｓの表面に孔が穿設されたものではなく、内方が透視できるような透明窓で形成されている。なお、３は緊急時、非常時において先の信号を解除する信号を発する非常用スイッチキーであり、また４は設定キー、５は解除キーを示している。本発明の特徴の一つは操作部１Ｓの上方部が欠如されていてスイッチ本体１全域を覆っていない形であり、切断端６が設けられている。この切断端６が入口を構成しており、この点がシートの出し入れを可能にするものであり本発明の特徴である。
【００１０】
オートポジショニングキーＯＰは、使用頻度の高い動作（作業、移動場所など）のためのキーである。また設定キー４はシートにおける各スイッチ９ごとの無線信号の内容を設定する際に操作してその入力を設定するためのものである。具体的な設定方法はたとえばＸ線管をＡ位置へ移動したい場合、実際にＸ線管をＡ位置まで移動させ、その移動量を機器に記憶させるようにし、その記憶信号をリモートコントロール信号として設定する。解除キー５は各シートのメモリを消去し、あるいは設定キー４による設定を消去するためのものである。
【００１１】
図２はスイッチ本体１の裏面側を示すが、裏面にはマグネット８が付設されている。図３はスイッチ本体１を断面して示す図で、スイッチ本体１の上方表面側に操作部１Ｓが張設されている。そしてこの操作部１Ｓの下方（内方）には弾性板１０が設置されている。したがってこの操作部１Ｓと弾性板１０との間の空間がシートＴの挿入を可能にする空間となっている。図３はシートＴが挿入された状態を示している。なおこの図３ではシートの断面を符号Ｔで示し後述する図４〜図６においてシートは７で示しているが、両者は同一のものである。１２はシートＴの挿入を感知する識別センサである。
【００１２】
シートＴは必要によっていくつかの個数が準備されているが、これらのシートには図示していないが、それぞれリモートコントロールする対象、あるいはリモートコントロールの仕方が別個であり、それらを識別するメモリまたはバーコード（図示せず）が付設されていて、そのシートＴが空間に挿入されたとき、この識別センサ１２が感知し前記コントロール対象、コントロールの仕方などを変更するための信号が制御器１１に入力される。この入力にて制御対象や仕方など種別の変更の設定が行われる。この場合、無線信号送信先の制御装置に対しては、前記制御器１１での設定と同時、またはスイッチ９の操作による信号発信時に設定が行われる。なお、図３においてＳ１はシートＴの上面に貼付されたシールを示している。
【００１３】
図４は上述したシート７の外観を示すものでＥ１〜Ｅ４はシールを貼付する部位を示している。図４においてＬ１〜Ｌ４は発光部でＬＥＤにて発光される。この発光時はリモート制御が行われていることを示すようになっている。図５は各部位Ｅ１〜Ｅ４にシールＳ１〜Ｓ４を貼付した状態を示している。この各シールはそのシート７によるコントロール対象についてのそれぞれのコントロール操作（作動）が異なるものが設定されている。すなわち図５に示すように、シールＳ１はＸ線管を立位形透視撮影装置の位置に移動させる信号を発生するものであり、シールＳ２はＸ線管をベッド上方位置に移動させる信号を発生するものである。
【００１４】
図６はシート７を操作部１Ｓの切断端６による入口から挿入する状態を示している。コード２は示されていない。この図６から明らかなように、シート７に貼付されたシールの識別マークが操作部１Ｓの窓などから視認できるようになっている。操作者はこのシート７における所望のシールＳ１〜Ｓ４を押すことで必要とするリモートコントロールの信号が発信されることになる。このとき切断端６と発光部Ｌ１〜Ｌ３、そしてオートポジショニングキーＯＰからは光が順次点滅し光の流れ現象が実現されてリモートコントロールの信号により制御が行われていることを確認できる。
【００１５】
本発明が提供するリモートコントロールスイッチは以上説明したとおりであるが、上記ならびに図示例に限定されるものではない。たとえば図示例では、シート７をスイッチ本体１の長手方向から挿入する方式を示しているが、長手方向と垂直方向から挿入するようにしてもよい。操作部１Ｓにおける窓Ｗ１〜Ｗ５の形状も円形でなく正方形状にしてもよい。またこの利用分野は医療機器のみでなくあらゆる分野における電気機、電子機器、その他の遠隔制御分野に利用可能である。
【符号の説明】
【００１６】
１  スイッチ本体
１Ｓ  操作部
２  コード
３  非常用スイッチキー
４  設定キー
５  解除キー
６  切断端
７  シート
８  マグネット
９  スイッチ
１０  弾性板
１１  制御器
１２  識別センサ
Ｅ１  シール貼付部位
Ｅ２  シール貼付部位
Ｅ３  シール貼付部位
Ｅ４  シール貼付部位
Ｌ１  発光部
Ｌ２  発光部
Ｌ３  発光部
Ｌ４  発光部
Ｓ１  シール
Ｓ２  シール
Ｓ３  シール
Ｓ４  シール
Ｔ  シート
Ｗ１  窓
Ｗ２  窓
Ｗ３  窓
Ｗ４  窓
Ｗ５  窓
ＯＰ  オートポジショニングキー
【図１】
2009302073.tif 000003
【図２】
2009302073.tif 000004
【図３】
2009302073.tif 000005
【図４】
2009302073.tif 000006
【図５】
2009302073.tif 000007
【図６】
2009302073.tif 000008